(57)【要約】      （修正有）【課題】手首等を相手の竹刀による打撃から保護しながら、竹刀を握り易く、かつ手首を柔軟に動かし易い剣道用小手を提供する。【解決手段】手先が挿入される手の甲側に形成されている小手頭１と、竹刀を握る掌側に形成されている手の内２と、小手頭の後端側に縫着連設されて膨出形成されているけら３と、けらの後端側に縫着連設されている筒部５と、筒部の後端側に前腕を覆うように縫着連設されている小手布団７とからなる剣道用小手であって、筒部に施されている飾り糸６は剣道用小手の長手方向に対して斜めに刺繍されて筒部内の緩衝材を縫着している。【選択図】図１
0003189060.tif 000002
【実用新案登録請求の範囲】
【請求項１】
手先が挿入される手の甲側に形成されている小手頭と、竹刀を握る掌側に形成されている手の内と、前記小手頭の後端側に縫着連設されて膨出形成されているけらと、前記けらの後端側に縫着連設されている筒部と、前記筒部の後端側に前腕を覆うように縫着連設されている小手布団とからなる剣道用小手であって、
前記筒部に施されている飾り糸は剣道用小手の長手方向に対して斜めに刺繍されて前記筒部内の緩衝材を縫着していることを特徴とする剣道用小手。
【請求項２】
前記けらと筒部の間の位置に竹刀の径よりも狭い幅で、緩衝材を充填しない革の表側を山形に形成した連結部が設けられていることを特徴とする請求項１記載の剣道用小手。
【請求項３】
前記けらが二段で構成されている場合に、前記けらとけらの間にも前記連結部が形成されていることを特徴とする請求項２記載の剣道用小手。
【考案の詳細な説明】
【技術分野】
【０００１】
本考案は、剣道用具である小手に関するものであり、詳しくは、利用者が装着した際に手首等を柔軟に動かすことができるように形成した剣道用小手に関するものである。
【背景技術】
【０００２】
従来、剣道用小手は、挿入された手先を保護する膨出形成されている小手頭と、竹刀を握る掌を保護する手の内と、小手頭の後端側に縫着連設されて指根元や手の甲を保護する膨出形成されているけらと、けらの後端側に縫着連設されて手の甲から手首を保護する筒部と、筒部の後端側に縫着連設されて手首や前腕を保護する腕の内側が開放されている小手布団とから構成されている。
【０００３】
手先が挿入される小手頭はその表面が牛革、鹿革、合成皮革、又は織刺しの布で覆われていると共に、内部には鹿毛、羊毛などの獣毛、又は合成繊維などの緩衝材が充填されている。また、掌側には、牛革、鹿革、又は合成皮革が張設されて手の内が形成されており、さらに、小手頭の後端側には、緩衝材が充填されて膨出した状態のけらが一段又は二段で形成されている。
【０００４】
筒部は、けらの後端側に一体的に縫着されている。手の甲から手首にかけて保護するほどの長さを有して、その内部には緩衝材が充填されて肉厚に形成されている。
【０００５】
そして、筒部の周囲には剣道用小手の長手方向に平行に複数個の飾り糸が所定間隔を置いて刺繍されて筒部内の緩衝材を縫着している。
【０００６】
小手布団は、筒部の後端側に前腕を覆うように一体的に縫着されていて、腕の内側は開放されており、この開放された部分を小手紐で結ぶようにした構成になっている。小手布団の内部は、フェルト、又は綿などの緩衝材が収納されて肉厚に形成され、外側を木綿で包んで刺し子が施されている。
【０００７】
ところで、剣道用小手は、安全性の面から、相手の竹刀による打撃から手の甲、手首又は前腕を保護することを目的として作られている。
そのため、例えば、剣道用小手の手の甲部に充填する緩衝材の偏りを防止して、手の甲部における所定の衝撃吸収力を常に保持することを目的として、手先が挿入される手の甲部が袋状に形成され、該手の甲部に衝撃を吸収するための緩衝材が充填された剣道用小手であって、前記手の甲部の両面を所定の箇所で連続的に接合することで膨出形成される膨出部を設けたものが提供されている（特許技術文献１を参照）。
【先行技術文献】
【特許文献】
【０００８】
【特許文献１】特開２００６−１４１５３７号公報
【考案の概要】
【考案が解決しようとする課題】
【０００９】
しかしながら、膨出形成される膨出部を設けることは、手の甲や手首などを保護するには優れているものの、手首を曲げたり竹刀を握り締めたりするためには、より力が必要になるという問題がある。
また、従来の剣道用小手の場合、筒部の周囲に刺繍を施した飾り糸が剣道用小手の長手方向に平行に所定間隔を置いて複数個形成されているので、この飾り糸によって縫着された箇所の間の緩衝材の部分が手首に位置する筒部の動きを抑制することで、手首を柔軟に動かしにくいという問題があった。
剣道用小手に関しては、相手の竹刀による打撃から手の甲や手首又は前腕を適切に保護すると共に、これを装着して剣道の練習あるいは試合を行う際に、竹刀を握り易く、かつ手首を柔軟に動かし易いといった竹刀を振り易いものが求められている。
そこで、本考案の目的は、手首等を相手の竹刀による打撃から保護しながら、竹刀を握り易く、かつ手首を柔軟に動かし易い剣道用小手を提供することにある。
【課題を解決するための手段】
【００１０】
上記の課題を解決するために、請求項１記載の考案は、手先が挿入される手の甲側に形成されている小手頭と、竹刀を握る掌側に形成されている手の内と、前記小手頭の後端側に縫着連設されて膨出形成されているけらと、前記けらの後端側に縫着連設されている筒部と、前記筒部の後端側に前腕を覆うように縫着連設されている小手布団とからなる剣道用小手であって、前記筒部に施されている飾り糸は剣道用小手の長手方向に対して斜めに刺繍されて前記筒部内の緩衝材を縫着していることを特徴とする。
【００１１】
請求項２記載の考案は、前記けらと筒部の間の位置に竹刀の径よりも狭い幅で、緩衝材を充填しない革の表側を山形に形成した連結部が設けられていることを特徴とする。
【００１２】
請求項３記載の考案は、前記けらが二段で構成されている場合に、前記けらとけらの間にも前記連結部が形成されていることを特徴とする。
【考案の効果】
【００１３】
本考案によれば、筒部の周囲に施されている飾り糸は、剣道用小手の長手方向に対して斜めに刺繍されて筒部内の緩衝材を縫着しているので、手首を外側に返した時に飾り糸によって縫着された箇所の間の緩衝材の部分がぶつからないために筒部が柔らかく曲がり、手首を柔軟に使うことができるので、竹刀が振りやすくなるという効果がある。
また、けらと筒部の間の位置に、緩衝材を充填しない革の表側を山形に形成した連結部を設けたことにより、手首を内側に曲げたときには連結部が伸び、手首を外側に返したときは連結部が山形に縮むので、伸縮性に富むことから手首を柔軟に動かすことができ、竹刀を握りやすく、かつ振りやすくなるという効果がある。
さらに、連結部を竹刀の径よりも狭い幅で形成したので、緩衝材がなくても、けらと筒部に挟まれているため、相手の竹刀による打撃から利用者の手首を保護することができるという効果もある。
【図面の簡単な説明】
【００１４】
【図１】本考案に係る剣道用小手を示した説明図である。
【考案を実施するための形態】
【００１５】
以下、図面を参照しながら、本願考案の実施の形態について説明する。
【実施例１】
【００１６】
図１は、本考案に係る剣道用小手を示した説明図である。
図１に示すように、剣道用小手は、手先が挿入される手の甲側に形成されている小手頭１と、竹刀を握る掌側に形成されている手の内２と、小手頭１の後端側に縫着連設されて緩衝材が充填されて膨出形成されているけら３と、けら３の後端側に縫着連設されている筒部５と、筒部５の後端側に前腕を覆うように縫着連設されている小手布団７とから構成されている。
なお、図１は右手用の剣道用小手を示しているが、本考案は右手用に限られるものではなく、左手用の剣道用小手も同様である。
【００１７】
手先が挿入される小手頭１はその表面が牛革、鹿革、合成皮革、又は織刺しの布で覆われていると共に、相手の竹刀による打撃を緩和するため、その内部には鹿毛、羊毛などの獣毛、又は合成繊維などの緩衝材が充填されている。
手の内２は竹刀を握る掌側に牛革、鹿革、又は合成皮革が張設されて形成されていて、小手頭１と手の内２で袋状に形成された部分に手先を挿入するようになっている。
さらに、小手頭１の後端側には、膨出した状態のけら３が一段又は二段で肉厚に形成されている。けら３の内部には相手の竹刀等による打撃を緩和するように、獣毛や化学繊維綿等が緩衝材として充填されている。
【００１８】
筒部５は、けら３の後端側に一体的に縫着されている。手の甲から手首にかけて保護するほどの長さを有している。そして、筒部５の表面は、牛革、鹿革、又は布材などの表張材で覆われ、その内部には鹿毛、羊毛などの獣毛、又は合成繊維などの緩衝材が充填されて肉厚に形成されている。
【００１９】
筒部５の周囲の所定位置に、前記表張材と内部の緩衝材とを縫着している飾り糸６が施されている。
従来の飾り糸６は、筒部５の周囲に、剣道用小手の長手方向に平行に所定間隔を置いて複数個の刺繍で形成されている。具体的には、長さが３ｃｍ前後、幅が７ｍｍ前後の鎖編みなどによる刺繍が１０個前後、筒部５の周囲に施されている。しかし、剣道用小手の長手方向に平行に形成されているために、手首を外側に返した時に飾り糸によって縫着された箇所の間の緩衝材の部分がぶつかるために、筒部５が十分に曲がらず、手首を柔軟に使うことができないという問題があった。
そこで、本実施例において筒部５に施されている飾り糸６は、剣道用小手の長手方向に対して、平行ではなく斜めに刺繍されて筒部５の内の緩衝材を縫着している。これにより従来の小手よりも、手首を柔軟に使うことができるようになり、竹刀を振りやすくしている。剣道用小手の長手方向に対する飾り糸６の角度は、約３０〜６０度程度である。
なお、図１では右手用の剣道用小手の例を示しているが、左手用の剣道用小手の飾り糸６も同様に斜めに形成されている。また、飾り糸６は、右手用、左手用のいずれの場合であっても、斜めに形成されていれば良く、左斜め、右斜めのいずれに形成されていても良い。
【００２０】
本実施例では、けら３と筒部５の間の位置に、竹刀の径よりも狭い幅で緩衝材を充填しない革の表側を山形に形成した、袋状になっていない連結部４を設けている。
この連結部４を設けたことにより、手首を内側に曲げたときには連結部４が伸び、手首を外側に返したときは連結部４が山形に縮むので、連結部４が伸縮し、手首を動かすことがスムーズになる。
連結部４の剣道用小手の長手方向の幅は、約５〜１５ｍｍ程度であり、竹刀の径よりも狭い幅であるので、連結部４の部分を竹刀で打たれてもその衝撃が直接手首に伝わらない。
なお、けら３が二段で構成されている場合、そのけら３とけら３の間にも連結部４が形成されていても良い。
また、図１では右手用の剣道用小手に連結部４が設けられている例を示しているが、左手用の剣道用小手にも同様に連結部４が設けられている。
【００２１】
筒部５に連接して縫い合わせられている小手布団７は、腕の内側が開放されていて、この開放両縁部分には小手紐８が掛け渡されている。小手布団７の内部は、相手の竹刀による打撃から前腕を保護するため、フェルト、又は綿などの緩衝材が収納されて肉厚に形成され、外側を木綿で包んで刺し子が施されている。そして、剣道用小手を手に装着したら小手紐８を締め、この小手紐８による締め付けにより前腕から手首にかけての締め付け具合を調整して、剣道用小手を利用者の手にしっかりと固定できるようになっている。
【００２２】
本実施例による効果について、説明する。
本実施例によれば、筒部５の周囲に施されている飾り糸６は、剣道用小手の長手方向に対して斜めに刺繍されて筒部５内の緩衝材を縫着しているので、手首を曲げても飾り糸６によって縫着された箇所の間の緩衝材の部分がぶつからないために筒部が柔らかく曲がり、手首を柔軟に使うことができるので、竹刀が振りやすくなるという効果がある。
また、けら３と筒部５の間の位置に、緩衝材を充填しない革の表側を山形に形成した連結部４を設けたことにより、手首を内側に曲げたときには連結部４が伸び、手首を外側に返したときは連結部４が山形に縮むので、伸縮性に富むことから手首を柔軟に動かすことができ、竹刀を握りやすく、かつ振りやすくなるという効果がある。
さらに、連結部４を竹刀の径よりも狭い幅で形成したので、緩衝材がなくても、けら３と筒部５に挟まれているため、相手の竹刀による打撃から利用者の手首を保護することができるという効果もある。
【符号の説明】
【００２３】
１  小手頭
２  手の内
３  けら
４  連結部
５  筒部
６  飾り糸
７  小手布団
８  小手紐
【図１】
0003189060.tif 000003